(57)【要約】【課題】検査登録に関する操作性の向上を可能とする検査登録画面表示装置を提供する。【解決手段】検査登録画面表示装置１は、検査条件を入力するために画面上に表示され、前記検査条件の複数の入力項目に関する複数の部品のデータを記憶する部品記憶部１２と、入力項目への情報の入力の順番と使用履歴との少なくとも一つに従って、複数の部品から少なくとも一つの特定の部品を選択し配置することで、検査登録画面を構成する画面構成部２０と、構成された検査登録画面を表示する表示部１０と、を具備する。【選択図】      図１
2010015397.tif 000002
【特許請求の範囲】
【請求項１】
検査条件を入力するために画面上に表示され、前記検査条件の複数の入力項目に関する複数の部品のデータを記憶する記憶部と、
入力項目への情報の入力の順番と使用頻度との少なくとも一つに従って、前記複数の部品から少なくとも一つの特定の部品を選択し配置することで、入力画面を構成する画面構成部と、
前記構成された入力画面を表示する表示部と、
を具備する検査登録画面表示装置。
【請求項２】
前記順番と使用頻度との少なくとも一つに基づいて前記特定の部品の優先度を決定する優先度決定部をさらに備え、
前記画面構成部は、前記決定された優先度と前記特定の部品の形状とに基づいて前記特定の部品を配置することで前記入力画面を構成する、
請求項１記載の検査登録画面表示装置。
【請求項３】
前記画面構成部は、前記優先度が高い部品を低い部品に比して前記入力画面の上部に配置する、請求項２記載の検査登録画面表示装置。
【請求項４】
前記記憶部は、前記順番と前記使用頻度との少なくとも一つをユーザごと又は検査種ごとに記憶する請求項１記載の検査登録画面表示装置。
【発明の詳細な説明】
【技術分野】
【０００１】
本発明は、検査登録を行なう検査登録画面表示装置に関する。
【背景技術】
【０００２】
患者の検査を行なう際、まず初めに、検査登録画面に患者情報（患者ＩＤや患者名、性別、生年月日等）や検査情報（検査種別や検査部位、装置条件等）等の検査条件を入力する（例えば、特許文献１、特許文献２参照）。検査条件は多数の項目があり、検査登録画面には、これら多数の項目を入力するための多数のテキストボックスやラジオボタン等の部品が配置されている。表示されている多数の部品の中から入力したい部品を探すのは手間がかかる。また、ユーザや検査種別によって頻繁に入力する部品は異なっている。
【特許文献１】特開平１０―２２２３３４号公報
【特許文献２】特開２０００―１０７０１号公報
【発明の開示】
【発明が解決しようとする課題】
【０００３】
本発明の目的は、検査登録に関する操作性の向上を可能とする検査登録画面表示装置を提供することにある。
【課題を解決するための手段】
【０００４】
請求項１に係る検査登録画面表示装置は、検査条件を入力するために画面上に表示され、前記検査条件の複数の入力項目に関する複数の部品のデータを記憶する記憶部と、入力項目への情報の入力の順番と前記使用頻度との少なくとも一つに従って、前記複数の部品から少なくとも一つの特定の部品を選択し配置することで、入力画面を構成する画面構成部と、前記構成された入力画面を表示する表示部と、を具備する。
【発明の効果】
【０００５】
本発明によれば、検査登録に関する操作性の向上が可能となる。
【発明を実施するための最良の形態】
【０００６】
以下、本発明に関する実施形態を図面を参照しながら説明する。
【０００７】
図１は、検査登録画面表示装置１の構成を示す図である。図１に示すように、検査登録画面表示装置１は、表示部１０、部品記憶部１２、操作部１４、使用履歴記憶部１６、優先度決定部１８、画面構成部２０、画面記憶部２２、及び制御部２４を有する。
【０００８】
検査登録画面表示装置１は、例えばＸ線コンピュータ断層撮影装置や、磁気共鳴イメージング装置、超音波診断装置、ガンマカメラ、ＳＰＥＣＴ（Single Photon Emission Computed Tomography）、ＰＥＴ（Positron Emission Tomography）等のモダリティに組み込まれる。検査登録画面表示装置１は、ユーザ（医師や技師、看護師等）が検査条件の入力を行なうための検査登録画面を表示し、画面上に入力された検査条件を各種モダリティに登録する。
【０００９】
表示部１０は、検査条件を入力するための検査登録画面を表示する。検査登録画面は、複数の部品から構成される。各部品は、検査条件の各入力項目に、各入力項目に応じた情報を入力するためのテキストボックスやラジオボタン、プルダウンメニュー等のＧＵＩ（Graphical User Interface：グラフィカル・ユーザ・インターフェース）部品の少なくとも一つを含む。なお、検査登録画面は、一画面に収まっておらず複数画面にわたる場合もある。
【００１０】
部品記憶部１２は、検査登録画面を構成する部品に関するデータを記憶している。部品記憶部１２は、少なくとも部品の形状と部品の面積とを関連付けて記憶する。図２は、部品名、項目名、部品の形状、部品の面積との対応表の一例を示す図である。図２に示すように、複数のテキストボックスやラジオボタン、プルダウンメニュー等から構成される部品の場合、その部品の形状は複数ある。例えば、性別部品は、各ボタンを横一列に並べた形状と縦一列に並べた形状とがある。
【００１１】
操作部１４は、マウス等のポインティングデバイスとキーボードとを備える。操作部１４は、各部品に対して情報を入力する。具体的には、ユーザは操作部１４を介してテキストボックスを選択して、選択したテキストボックスに文字を入力する。また、ユーザは操作部１４を介して、ラジオボタンを押したり、プルダウンメニューを選択したりする。
【００１２】
使用履歴記憶部１６は、部品の使用履歴を記憶する。使用履歴は、使用した部品の順番を記録したものである。具体的には、使用履歴記憶部１６は、操作部１４を介して部品が使用されることを契機として、使用された部品を示すコードを時系列に記憶する。なお、「使用」とは、各部品への情報の入力を意味し、具体的には、テキストボックスの選択やテキストボックスへの入力、ラジオボタンの選択、プルダウンメニューの選択を意味する。使用履歴記憶部１６は、使用条件ごとに使用履歴を記憶する。使用条件は、検査登録画面表示装置１を使用するユーザや検査種等である。
【００１３】
優先度決定部１８は、使用履歴に基づいて、各部品の検査登録画面での配置場所に関する優先度を決定する。具体的には、優先度決定部１８は、使用履歴を参照して、使用順の早い部品から順番に、高い優先度を割り付ける。また、優先度決定部１８は、使用履歴を参照して各部品の使用頻度を特定する。そして優先度決定部１８は、使用頻度の高い部品から順番に、高い優先度を割り付ける。また、優先度決定部１８は、使用順と使用頻度との組み合わせに従って、部品に優先度を割り付けることも可能である。これら優先度は、使用条件毎に決定される。
【００１４】
画面構成部２０は、画面構成処理を行なう。画面構成処理において画面構成部２０は、決定された優先度に従って、部品記憶部１２に記憶されている複数の部品から少なくとも一つの部品を選択し画面上に配置することで検査登録画面を構成する。画面構成部２０は、優先度の高い部品ほど画面の上部に、優先度の低い部品ほど画面の下部に配置する。選択された部品が多く一画面に収まらない場合、画面構成部２０は、優先順位の高い部品を一番目の画面に配置し、使用頻度の低い部品を他の画面に配置させることも可能である。検査登録画面は、使用条件毎に構成する。なお、優先度が低い部品は画面構成部２０により選択されなくてもよい。
【００１５】
画面記憶部２２は、構成された検査登録画面のデータを使用条件毎に記憶する。また、画面記憶部２２は、初期の検査登録画面も記憶する。
【００１６】
制御部２４は、検査登録画面表示装置１の中枢として機能し、各構成要素を制御する。
【００１７】
図３は、初期の検査登録画面の一例を示す図である。図３に示した初期の検査登録画面は、超音波診断装置の検査登録画面である。患者ＩＤ部品Ｐ１は、患者ＩＤを入力するためのテキストボックスからなる。姓名部品Ｐ２は、患者の性を入力するためのテキストボックスと、名を入力するためのテキストボックスと、ミドルネームを入力するためのテキストボックスとからなる。生年月日部品Ｐ３は、患者の生年月日を入力するためのテキストボックスと、年齢を入力するためのテキストボックスとからなる。性別部品Ｐ４は、患者が男性であることを示すラジオボタンと、女性であることを示すラジオボタンと、性別不明のラジオボタンとからなる。身体部品Ｐ５は、患者の身長を入力するためのテキストボックスと、体重を入力するためのテキストボックスと、ＢＳＡ（Body Surface Area：体表面積）を入力するためのテキストボックスとからなる。保険部品Ｐ６は、保険情報を入力するためのテキストボックスと、保険情報についてのコメントを入力するためのテキストボックスとからなる。
【００１８】
予約データ部品Ｐ７は、予約データがリストアップされるフィールドからなる。予約データは、操作部１２を介して更新ボタンＢ４が押されることを契機として更新される。履歴部品Ｐ８は、以前入力した患者ＩＤを選択可能に表示するプルダウンメニューからなる。操作部１２を介してユーザが検索ボタンを押すことを契機として、プルダウンメニューで選択した患者ＩＤに関する患者情報が対応する部品に入力される。検査種部品Ｐ９は、検査種を選択可能に表示するプルダウンメニューからなる。補足情報部品Ｐ１０は、検査に関する補足情報を入力するためのテキストボックスからなる。登録番号部品Ｐ１１は、登録番号を入力するためのテキストボックスからなる。検査担当部品Ｐ１２は、検査技師を選択可能に表示するプルダウンメニューと、医師を選択可能に表示するプルダウンメニューと、副医師を選択可能に表示するプルダウンメニューと、診療科を選択可能に表示するプルダウンメニューとからなる。入院／外来部品Ｐ１３は、入院患者ボタンと、外来患者ボタンとからなる。
【００１９】
第１ボタン部品Ｐ１４は、詳細ボタンと、全消去ボタンとからなる。詳細ボタンが押されると、図４に示すような、患者情報や検査情報についての詳細情報を入力するための詳細画面Ｄ１が表示部１０に表示される。図４に示すように、詳細画面Ｄ１は、患者情報や検査情報についての詳細情報を入力するための複数のテキストボックスと、ＯＫボタンＢ７とを有する。ＯＫボタンＢ７が押されると、詳細画面Ｄ１が閉じ、再び図３に示す検査登録画面が表示される。
【００２０】
図３に示す第１ボタン部品Ｐ１４の全消去ボタンが押されると、検査登録画面に入力された情報が全て消去される。
【００２１】
第２ボタン部品Ｐ１５は、検査開始ボタンＢ１、緊急患者ボタンＢ２、変更ボタンＢ３、更新ボタンＢ４、オプションボタンＢ５、及び終了ボタンＢ６を含む。検査開始ボタンＢ１が押されると、検査が開始される。緊急患者ボタンＢ２が押されると、急患用の患者ＩＤが自動的に発行され、患者ＩＤ部品Ｐ１に入力される。そのため、ユーザが情報を入力することなく検査を開始することができる。変更ボタンＢ３が押されると、画面構成部２０は、画面構成処理を開始する。更新ボタンＢ４が押されると、予約データが更新される。オプションボタンＢ５が押されると、オプション設定のための画面（図示せず）が表示される。終了ボタンＢ６が押されると、この検査登録画面が閉じられる。また、第２ボタン部品Ｐ１５には、ユーザに注意を喚起するためのメッセージが表示されている。
【００２２】
次に、画面構成部２０による画面構成処理の詳細を説明する。画面構成部２０は、例えば、検査登録画面が起動されたときや、検査登録画面に含まれる変更ボタンが押されたことを契機として画面構成処理を開始する。
【００２３】
図５は、構成処理後の検査登録画面を示す図である。ここで、例えば、患者ＩＤ部品は優先度が１、検査担当部品は優先度が２、性別部品は優先度が３であるとする。また、姓名部品は、優先度が低いとする。図５に示すように、各部品は、選択された部品が画面に収まるような適切な形状で、優先順位が高い部品ほど画面の上部に配置され、優先順位の低い部品ほど画面の下部に配置される。
【００２４】
具体的には、画面構成部２０は、部品記憶部１２に記憶されている複数の部品から、優先度に基づいて、検査登録画面に表示する部品を選択する。そして画面構成部２０は、画面全体の形状及び面積と、各選択された部品の形状、面積、及び優先度とに基づいて、各選択された部品について最も適した形状を決定する。例えば、画面構成部２０は、図３に示す処理前（初期）の性別領域Ｐ２は、３つのラジオボタンが横に配列されている。しかし、図５に示す処理後の性別領域Ｐ２は、空きスペースの形状と面積とに応じて、３つのラジオボタンが縦に配列される。画面構成部２０は、決定された部品の形状と優先順位とに基づいて、優先順位が高い部品ほど画面の上部に配置されるように、優先順位の低い部品ほど画面の下部に配置されるように、部品を組み合わせることで検査登録画面を構成する。また、選択された部品が多いために検査登録画面が複数画面になる場合、よく入力する部品を一盤面の画面にまとめることも可能となる。
【００２５】
この様にして構成された検査登録画面は、使用条件ごとに画面記憶部２２に記憶される。画面記憶部２２に検査登録画面が記憶されている使用条件で、検査登録画面の表示を受け付けた場合、表示部１０は、使用条件に対応する検査登録画面を初期画面として表示する。また、画面記憶部２２は、一つの使用条件につき、２以上の検査登録画面を記憶しても良い。この場合、表示部１０は、例えば、複数の検査登録画面から一つの検査登録画面を選択するためのボタン等を表示するとよい。ボタンが押されたことを契機として表示部１０は、押されたボタンに対応する検査登録画面を表示する。
【００２６】
本実施形態に示すように、ユーザがよく入力する部品が検査登録画面の上から順に配置されるため、情報を入力する項目を探す手間が省ける。また、検査登録画面表示装置１は、ユーザや検査種別に記憶された部品の使用順と使用頻度との少なくとも一つに基づいて検査登録画面を構成するため、各ユーザや検査種に特化した検査登録画面を表示することが可能となる。また、検査登録画面表示装置１は、部品を選択する際、複数用意された形状の中から最適な形状を選択することが可能なため、優先度の高い部品を検査登録画面の上部に効率的に配置することが可能となる。また、部品が複数画面にわたる場合、検査登録画面表示装置１は、よく入力する項目を一画面にまとめることも可能となる。かくして本実施形態によれば、検査登録に関する操作性の向上が可能となる。
【００２７】
なお、検査登録画面表示装置１は、モダリティに組み込まれるとしたが、モダリティにネットワークを介して接続された別体の装置であってよい。
【００２８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２９】
【図１】本発明の実施形態に係る検査登録画面表示装置の構成を示す図。
【図２】図１の表示部によって表示される処理前の検査登録画面の一例を示す図。
【図３】図１の部品記憶部に記憶される部品と面積との対応を示す図。
【図４】図２の検査登録画面中の詳細ボタンが押されることを契機として表示される、詳細設定のための画面の一例を示す図。
【図５】図１の表示部によって表示される処理後の検査登録画面の一例を示す図。
【符号の説明】
【００３０】
１…検査登録画面表示装置、１０…表示部、１２…操作部、１４…使用履歴記憶部、１６…部品記憶部、１８…優先順位記憶部、２０…画面構成部、２２…画面記憶部、２４…制御部
【図１】
2010015397.tif 000003
【図２】
2010015397.tif 000004
【図３】
2010015397.tif 000005
【図４】
2010015397.tif 000006
【図５】
2010015397.tif 000007